(57)【要約】【課題】除湿ケーキを提供する。【解決手段】本発明の除湿ケーキは、シリカゲル（Ｓｉｌｉｃａ  Ｇｅｌ，ＳｉＯ２）の研磨加工後に形成される多孔質吸収材粉末１に水性接着剤２が混合された後に定型され、焼成及び冷却を経て多孔質（Ｐｏｒｏｕｓ）２１のブロック状除湿ケーキ３が形成される。このため、使用時に包装ケースが不要であり、且つ形状に多様な変化が生まれ、資源を浪費しなくなり、経済性が更に高まる。【選択図】図１
2019214029.tif 000002
【特許請求の範囲】
【請求項１】
成分としてシリカゲル（Ｓｉｌｉｃａ  Ｇｅｌ，ＳｉＯ２）及び水性接着剤２を含み、
前記シリカゲル（Ｓｉｌｉｃａ  Ｇｅｌ，ＳｉＯ２）が研磨加工された後に粒径２５乃至２５０メッシュの間の範囲の多孔質吸収材粉末１が形成され、
多孔質吸収材粉末１及び水性接着剤２は８０ｗｔ％乃至９８ｗｔ％：２０ｗｔ％乃至２ｗｔ％の比率で十分に撹拌されて混合され、
塑造により所定のブロック形状に定型され、
焼成及び冷却された後に多孔質のブロック状除湿ケーキ３が形成されることを特徴とする、
除湿ケーキ。
【請求項２】
前記水性接着剤２はアクリル樹脂乳液、ポリ酢酸ビニル乳液、ポリビニルアルコール（ＰＶＡ）、ポリビニルピロリドン（ＰＶＰ）、澱粉スラリー、天然繊維素、合成繊維素、食用糊、モルタル、パルプの内のいずれか１つであることを特徴とする請求項１に記載の除湿ケーキ。
【請求項３】
前記焼成は１００〜４００℃で１時間乃至４時間行われることを特徴とする請求項２に記載の除湿ケーキ。
【発明の詳細な説明】
【技術分野】
【０００１】
本発明は、除湿ケーキ（Ｄｅｈｕｍｉｄｉｆｙｉｎｇ  Ｃａｋｅ）に関し、より詳しくは、多孔質のブロック状構造を呈し、包装具を減らすことで環境保護に貢献し、且つ消費者の興味を惹く多様な形状に製造可能であるため経済性が高まる除湿ケーキに関する。
【背景技術】
【０００２】
カビは自然界に広く存在する真菌の一種であり、通気状態の悪い湿った環境で繁殖しやすく、且つ繁殖力が非常に高く、食物、衣類、家具等が通気状態が悪い湿った環境に置かれるとすぐに湿ってカビが発生した。このような環境下では人の健康にも悪影響が出るため、除湿関連製品が生まれ、環境中の湿度を下げ、乾燥した状態に保持させることによってカビの繁殖を抑えている。
【０００３】
一般的な除湿商品は２種類ある。その内の１種類は特定の場所に設置され、電力によって運転される凝結式除湿機であり、その体積の大きさのために運搬が難しく、通常は広い空間における湿度を改善させるために用いられている。もう１種類は狭い空間に設置可能な塩化カルシウム等の化学物質の空気中の水分子を吸着させるという特性を利用したものであり、食物の包装で使用される乾燥剤や衣装だんすの防湿剤として常用されている。
しかしながら、このような防湿方式は消耗品である化学薬剤を不断に補充しなければならないため不便であり、更にはある除湿商品では収容ケースが上下二層の収容空間に分けられており、上層の収容空間には顆粒状の塩化カルシウムが収容され、下層には除湿された液体の水が集められる。集められた液体の水には塩化カルシウム等の化学物質が含まれているため、不注意で周囲の物品にこぼしてしまった場合に取り除くのが難しく、人体に触れると皮膚が赤く腫れて痛みを伴う等の炎症を引き起こした。また、一般的な使用者の多くは塩化カルシウムを含む液体を排水系統に捨ててしまうため環境に対する重大な汚染に繋がった。
【０００４】
従って、近年業者では重複して使用可能な除湿製品を開発している。これは主にケース状または袋状の包装ケースが設けられ、包装ケース内に顆粒状の吸湿剤（直径約２〜３ｍｍ）が装填され、空気中の湿気が吸着される。
吸湿剤が飽和するまで湿気を吸った後には、吸湿剤顆粒が充填された包装ケースをオーブンまたは電子レンジに入れて加熱すれば湿気を吸って飽和状態になった吸湿剤が乾燥されて元の状態に戻り、乾燥後の吸湿剤が再び空気中の湿気を吸着するようになる。こうして重複して使用可能にする目的を達成させている。
【発明の概要】
【発明が解決しようとする課題】
【０００５】
前記除湿製品は重複して除湿可能になる効果を有するが、業者はまずプラスチックまたは布生地で包装ケース或いは包装袋を製造し、直径約２〜３ｍｍの顆粒状の吸湿剤を包装ケースまたは包装袋内に収容させねばならず、製造コストが高くなる上、前記除湿製品に使用される包装ケースや包装袋は毎回乾燥させて元に戻す際にオーブンや電子レンジ中で高温になって破壊されてしまい、製品寿命が縮んだ。
【０００６】
そこで、本発明者は上記の欠点が改善可能と考え、鋭意検討を重ねた結果、合理的設計で上記の課題を効果的に改善する本発明の提案に到った。
【０００７】
本発明はこうした状況に鑑みてなされたものであり、その目的は、次のような除湿ケーキを提供することにある。
すなわち、除湿ケーキは主に原料のシリカゲル（Ｓｉｌｉｃａ  Ｇｅｌ  ，  ＳｉＯ２）が微細化の研磨加工された後に水性接着剤と混合され、且つ定型されて乾燥され、除湿ケーキが多孔質を有するブロック構造体として形成される。これによって良好な吸湿効果を有するほか、包装袋または包装ケースの使用が減少し、環境保護効果が高まる。
【課題を解決するための手段】
【０００８】
上記課題を解決するために、本発明のある態様の除湿ケーキは、成分としてシリカゲル（Ｓｉｌｉｃａ  Ｇｅｌ，ＳｉＯ２）及び水性接着剤２を含み、前記シリカゲル（Ｓｉｌｉｃａ  Ｇｅｌ，ＳｉＯ２）が研磨加工された後の粒径２５乃至２５０メッシュの間の範囲の多孔質吸収材粉末１及び水性接着剤２は８０ｗｔ％乃至９８ｗｔ％：２０ｗｔ％乃至２ｗｔ％の比率で十分に撹拌されて混合され、且つ塑造により所定のブロック形状に定型され、焼成及び冷却された後に多孔質のブロック状除湿ケーキ３が形成される。
【０００９】
上述した記載の除湿ケーキにおいて、前記水性接着剤はアクリル樹脂乳液、ポリ酢酸ビニル乳液、ポリビニルアルコール（ＰＶＡ）、ポリビニルピロリドン（ＰＶＰ）、澱粉スラリー、天然繊維素、合成繊維素、食用糊、モルタル、パルプの内のいずれか１つである。
【００１０】
上述した記載の除湿ケーキにおいて、前記焼成工程は１００℃乃至４００℃で１時間乃至４時間焼成される。
【発明の効果】
【００１１】
本発明で製造されて得られる除湿ケーキはブロック形状を呈するため使用時には包装袋や包装ケースが不要になり、且つ形状の変化も多樣になる。また、同様に吸湿後に乾燥させると元に戻って重複して使用可能になるという特性を有し、資源の浪費を回避させて環境保護効果を有するほか、経済性も更に高まる。
【図面の簡単な説明】
【００１２】
【図１】本発明の一実施形態に係る除湿ケーキを示す製造フローチャートである。
【図２】本発明の除湿ケーキの構成の一部を示す拡大概略図である。
【図３】塑造または混練により星形に定型されるブロック状除湿ケーキを示す概略図である。
【図４】塑造または混練によりハート形に定型されるブロック状除湿ケーキを示す概略図である。
【発明を実施するための形態】
【００１３】
以下に、本発明に係る除湿ケーキの実施の形態を図面に基づいて詳細に説明する。なお、各実施の形態によりこの発明が限定されるものではない。
【実施例１】
【００１４】
本実施例の除湿ケーキは、成分としてシリカゲル（Ｓｉｌｉｃａ  Ｇｅｌ，ＳｉＯ２）及び水性接着剤を含む。シリカゲル（Ｓｉｌｉｃａ  Ｇｅｌ，ＳｉＯ２）が研磨加工されることにより粒径が２５メッシュ乃至２５０メッシュの間の範囲の多孔質吸収材粉末１が形成され、前記多孔質吸収材粉末１及び水性接着剤２は８０ｗｔ％乃至９８ｗｔ％：２０ｗｔ％乃至２ｗｔ％の比率で十分に撹拌されて混合され、且つ塑造により所定のブロック形状に定型され、焼成及び冷却された後に多孔質のブロック状除湿ケーキ３が形成される。
前記除湿ケーキの製造工程は、以下のとおりである。
（１）粉末の研磨：シリカゲル（Ｓｉｌｉｃａ  Ｇｅｌ，ＳｉＯ２）が研磨加工され、粒径が２５メッシュ乃至２５０メッシュの間の範囲の多孔質吸収材粉末である。
（２）混合：多孔質吸収材粉末及び水性接着剤が８０ｗｔ％乃至９８ｗｔ％：２０ｗｔ％乃至２ｗｔ％の比率で十分に撹拌されて混合される。前記水性接着剤はアクリル樹脂乳液、ポリ酢酸ビニル乳液、ポリビニルアルコール（ＰＶＡ）、ポリビニルピロリドン（ＰＶＰ）、澱粉スラリー、天然繊維素、合成繊維素、食用糊、モルタル、パルプの内のいずれか１つである。
（３）定型：十分に混合された後の吸収材粉末及び水性接着剤が塑造により成形され、所定のブロック形状のブロック状除湿ケーキの半製品が形成される。
（４）焼成：工程（３）で十分に混合された後の吸収材粉末及び水性接着剤が塑造を経て成型されたブロック状除湿ケーキの半製品の焼成が行われる。１００℃乃至４００℃で１時間乃至４時間焼成が行われる。
（５）冷却：焼成完了後のブロック状除湿ケーキの半製品が冷却された後、多孔質のブロック状除湿ケーキが形成される。
【００１５】
多孔質吸収材粉末及び水性接着剤の比率は不均衡であるため、各多孔質吸収材粉末の間は少量の水性接着剤のみで粘着されて集成される。多孔質吸収材粉末及び水性接着剤が粘着されて混合される際、水性接着剤が吸収材粉末の多孔質中に入り込む可能性があるが、焼成後に水性接着剤は水分が蒸発するため吸収材粉末の多孔質が回復する。
また、粘着されて集成された後に各多孔質吸収材粉末の粒子の間の隙間に水性接着剤が充満するが、焼成時に水性接着剤の水分が外に蒸発する際に通過させる経路により水性接着剤内部に大量の多孔質が形成され、これら前記多孔質によりブロック状除湿ケーキの吸湿体の総表面積が増加し、良好な吸湿効果を備える。
【００１６】
図２は複数の多孔質吸収材粉末が水性接着剤により粘着されて集成される拡大概略図である。１は吸収材粉末を示し、１１は吸収材粉末の多孔質を示し、２は水性接着剤を示し、２１はブロック状除湿ケーキの半製品が焼成される際に水性接着剤２の水分が外に蒸発して通過させる経路により水性接着剤２内部に形成される大量の多孔質を示す。
図２に示す水性接着剤２により各吸収材粉末１が粘着されて集成され、同時に多くの多孔質１１の構造が保留され、且つ水性接着剤２には水分が蒸発することにより大量の多孔質２１が形成される。これにより、ブロック状除湿ケーキの吸湿体の総表面積が増加する。
【００１７】
図３及び図４は十分に混合された後の吸収材粉末１及び水性接着剤２が塑造により星形及びハート形に形成されるブロック状除湿ケーキ３の概略図を図示する。
造形された前記ブロック状除湿ケーキ３がたんす中に直接設置されるか掛着されて除湿が行われた後でも、吸湿後のブロック状除湿ケーキ３は乾燥されると元に戻り、重複して使用可能になるという特性を有する。
【００１８】
以上、本発明の実施形態について図面を参照して詳述したが、具体的な構成はこの実施形態に限られるものではなく、本発明の要旨を逸脱しない範囲の設計変更等も含まれる。
【符号の説明】
【００１９】
１    吸収材粉末
１１  多孔質
２    水性接着剤
２１  多孔質
３    ブロック状除湿ケーキ
【図１】
2019214029.tif 000003
【図２】
2019214029.tif 000004
【図３】
2019214029.tif 000005
【図４】
2019214029.tif 000006